(57)【要約】【課題】排水と循環を行えるポンプを備えた洗濯機を提供する。【解決手段】洗濯兼脱水槽２２と、洗濯兼脱水槽２２を内包する水受け槽２１と、洗濯兼脱水槽２２を回転する駆動モータ２５と、水受け槽２１内の水を吸引するポンプ３１と、駆動モータ２５、ポンプ３１を制御し、洗い、すすぎ、脱水の一連の行程を逐次制御する制御手段３４とを備え、ポンプ３１は、正逆回転可能な回転ランナー４２と、機外へ排水する排水側出口４７と、水受け槽２１へ循環させる循環側出口４６とを有し、制御手段３４は、排水動作及び脱水動作時には、ポンプ３１を正転方向に駆動して、水受け槽２１内の水を排水側出口４７から吐出して機外へ排水し、洗いまたはすすぎ動作時には、ポンプ３１を逆転方向に駆動して、水受け槽２１内の水を循環側出口４６から吐出して再び水受け槽２１へ循環させることにより、簡単な構成で、単一のポンプにて洗濯水の排水と循環を行なえる。【選択図】図１
2014054277.tif 000002
【特許請求の範囲】
【請求項１】
洗濯物を収容する洗濯兼脱水槽と、前記洗濯兼脱水槽を回転自在に内包する水受け槽と、前記洗濯兼脱水槽を回転するための駆動モータと、前記水受け槽内の水を吸引するポンプと、前記駆動モータ、ポンプを制御し、洗い、すすぎ、脱水の一連の行程を逐次制御する制御手段とを備え、前記ポンプは、正逆回転可能な回転ランナーと、機外へ排水する排水側出口と、前記水受け槽へ循環させる循環側出口とを有し、前記制御手段は、排水動作及び脱水動作時には、前記ポンプを正転方向に駆動して、前記水受け槽内の水を前記排水側出口から吐出して機外へ排水し、洗いまたはすすぎ動作時には、前記ポンプを逆転方向に駆動して、前記水受け槽内の水を前記循環側出口から吐出して再び前記水受け槽へ循環させるようにした洗濯機。
【請求項２】
前記ポンプは、前記回転ランナーの外周側に設け前記回転ランナーに向かって凹状に形成した仕切板と、前記仕切板に隣接して設けた回転軸を有する方向板とを有し、前記方向板は、前記ポンプを正転方向あるいは逆転方向に駆動することにより所定角度まで回動するようにした請求項１に記載の洗濯機。
【請求項３】
前記ポンプは、前記排水側出口に設けたポンプ室へ向かう流れを止める排水側逆止弁と、前記循環側出口に設けたポンプ室へ向かう流れを止める循環側逆止弁とを有する請求項１に記載の洗濯機。
【発明の詳細な説明】
【技術分野】
【０００１】
本発明は、自然排水ができない高所にも洗濯水を排水できるポンプを備えた洗濯機に関するものである。
【背景技術】
【０００２】
従来、この種のポンプを備えた洗濯機は、ポンプを動作させて、水槽内の洗濯水を機外へ排水する機能とともに、洗濯水を再度水槽内へ循環させる機能を有する構成が提案されている（例えば、特許文献１参照）。
【０００３】
図４は、特許文献１に記載された従来の洗濯機の縦断面図である。
【０００４】
図４において、洗濯機外枠１上方に設けた給水弁２と給湯弁３から水と湯を混合し、洗濯水槽４に供給する。洗濯水槽４の排出側に排水弁５が配され、排水弁５の下流に排水路６とポンプ７が配される。ポンプ７の下流側には、排水路８が配され、排水路８の途中に切替弁９が配されている。そして、切替弁９を排水ホース１０側へ切替えた状態で、排水弁５を開放して、ポンプ７を駆動することで、洗濯水槽４内の洗濯水は、排水路８と切替弁９を介して排水ホース１０から外部へ排水される。
【０００５】
また、切替弁９をバイパス路１１側へ切替えた状態で、排水弁５を開放して、ポンプ７を駆動することで、洗濯水槽４内の洗濯水は、排水路８、切替弁９、バイパス路１１を経由して、混合供給部１２に循環供給される。それと同時に、供給した洗濯水温度を制御する温度検知部１３と洗濯水槽４の水位を検知する水位検知器１４と、洗い、すすぎ、脱水の各行程を制御する制御部（図示せず）によって、洗濯水を循環させながら、給水弁２と給湯弁３の水を混合して洗濯水槽４に供給する。
【０００６】
以上のように、単一のポンプで、洗濯水を排水する、あるいは、循環するという異なる機能を有する構成にて、行程制御を行なっている。
【先行技術文献】
【特許文献】
【０００７】
【特許文献１】特開平６−１７００７９号公報
【発明の概要】
【発明が解決しようとする課題】
【０００８】
しかしながら、前記従来の構成では、単一のポンプで排水と循環の２つの機能を、切替弁を切替えることにより実現しているが、切替弁は取付占有空間が大きいので、部品配置の設計上の制限が多くあるという課題や、切替弁内部に、洗濯水が通過することによる洗剤かすやリントなどの異物つまりが発生しやすいという課題があった。
【０００９】
本発明は、前記従来の課題を解決するもので、切替弁などを用いた複雑な構成にすることなく、単一のポンプにて、洗濯水の排水及び循環を実現できる洗濯機を提供することを目的としている。
【課題を解決するための手段】
【００１０】
前記目的を達成するために、本発明の洗濯機は、洗濯物を収容する洗濯兼脱水槽と、前記洗濯兼脱水槽を回転自在に内包する水受け槽と、前記洗濯兼脱水槽を回転するための駆動モータと、前記水受け槽内の水を吸引するポンプと、前記駆動モータ、ポンプを制御し
、洗い、すすぎ、脱水の一連の行程を逐次制御する制御手段とを備え、前記ポンプは、正逆回転可能な回転ランナーと、機外へ排水する排水側出口と、前記水受け槽へ循環させる循環側出口とを有し、前記制御手段は、排水動作及び脱水動作時には、前記ポンプを正転方向に駆動して、前記水受け槽内の水を前記排水側出口から吐出して機外へ排水し、洗いまたはすすぎ動作時には、前記ポンプを逆転方向に駆動して、前記水受け槽内の水を前記循環側出口から吐出して再び前記水受け槽へ循環させるようにしたものである。
【００１１】
これによって、簡単な構成で、切替弁を設けずにひとつのポンプだけで、洗濯水の排水と循環を行なうことができる。
【発明の効果】
【００１２】
本発明の洗濯機は、簡単な構成で、切替弁を設けずにひとつのポンプだけで洗濯水の排水と循環を行うことができる。
【図面の簡単な説明】
【００１３】
【図１】本発明の実施の形態１における洗濯機の縦断面図
【図２】同洗濯機のポンプの構造図
【図３】本発明の実施の形態２におけるポンプの構造図
【図４】従来の洗濯機の縦断面図
【発明を実施するための形態】
【００１４】
第１の発明は、洗濯物を収容する洗濯兼脱水槽と、前記洗濯兼脱水槽を回転自在に内包する水受け槽と、前記洗濯兼脱水槽を回転するための駆動モータと、前記水受け槽内の水を吸引するポンプと、前記駆動モータ、ポンプを制御し、洗い、すすぎ、脱水の一連の行程を逐次制御する制御手段とを備え、前記ポンプは、正逆回転可能な回転ランナーと、機外へ排水する排水側出口と、前記水受け槽へ循環させる循環側出口とを有し、前記制御手段は、排水動作及び脱水動作時には、前記ポンプを正転方向に駆動して、前記水受け槽内の水を前記排水側出口から吐出して機外へ排水し、洗いまたはすすぎ動作時には、前記ポンプを逆転方向に駆動して、前記水受け槽内の水を前記循環側出口から吐出して再び前記水受け槽へ循環させるようにしたことにより、簡単な構成で、切替弁を設けずにひとつのポンプだけで、洗濯水の排水と循環を行なうことができる。
【００１５】
第２の発明は、特に、第１の発明のポンプは、前記回転ランナーの外周側に設け前記回転ランナーに向かって凹状に形成した仕切板と、前記仕切板に隣接して設けた回転軸を有する方向板とを有し、前記方向板は、前記ポンプを正転方向あるいは逆転方向に駆動することにより所定角度まで回動するようにしたことにより、ポンプの回転ランナーの回転方向を切り替えるだけで洗濯水の排水と循環を行なうことができる。
【００１６】
第３の発明は、特に、第１の発明のポンプは、前記排水側出口に設けたポンプ室へ向かう流れを止める排水側逆止弁と、前記循環側出口に設けたポンプ室へ向かう流れを止める循環側逆止弁とを有することにより、ポンプの回転ランナーの回転方向を切り替えるだけで洗濯水の排水と循環を行なうことができる。
【００１７】
以下、本発明の実施の形態について、図面を参照しながら説明する。なお、従来例と同じ構成のものは同一符号を付して説明を省略する。また、この実施の形態によって本発明が限定されるものではない。
【００１８】
（実施の形態１）
図１は、本発明の第１の実施の形態におけるポンプを備えた洗濯機の縦断面図である。
【００１９】
図１において、洗濯機本体２０内に水受け槽２１がサスペンション（図示せず）等により、弾性的に支持され、水受け槽２１には、外周壁に多数の小孔２３を有する有底円筒形状の回転ドラムからなる洗濯兼脱水槽２２が回転自在に内包されている。
【００２０】
洗濯兼脱水槽２２は、外周壁に多数の小孔２３を、内周壁に衣類攪拌用突起２４を設けている。また、洗濯兼脱水槽２２は、水受け槽２１の背面側外壁に取り付けられた駆動モータ２５によって回転駆動されるとともに、その回転速度や回転方向が変化できるようになっている。洗濯機本体２０の正面側には、開閉自在の扉体２６が設けられている。
【００２１】
水受け槽２１の上方には、給水ホース２７が接続された給水電磁弁２８が配されており、給水電磁弁２８から給水ホース２７の他端が接続された洗剤ケース３９、および、洗剤ケース３９と水受け槽２１との間に設けられた水路ホース３８を介して、水道水が水受け槽２１に給水される。
【００２２】
また、水受け槽２１下方に形成された排水口２９には、可撓性のある蛇腹管３０を介してポンプ３１が接続されている。
【００２３】
水受け槽２１の排水口２９近傍には、エアートラップ３２を介して水位センサ３３を配しており、水位センサ３３は、エアートラップ３２内の空気圧の変化を電気信号に変化させて、水受け槽２１内部に給水される洗濯水の水位（水量）を検知する。
【００２４】
洗濯機本体２０の内方下部には、制御手段３４が配置され、制御手段３４は、給水電磁弁２８、駆動モータ２５、ポンプ３１等を制御するとともに、洗い、すすぎ、排水、脱水などの一連の行程を逐次制御する。また、水位センサ３３によって検知された水受け槽２１内の水位データは、制御手段３４に逐次入力される。
【００２５】
ポンプ３１の排水側出口４７（図２参照）には、排水ホース３５を接続し、排水ホース３５には機外排水ホース３６を接続している。そして、排水動作時や、排水から脱水へ移行する排水及び脱水動作時に、水受け槽２１内部の洗濯水を機外に排水する。
【００２６】
またポンプ３１の循環側出口４６（図２参照）には、循環ホース３７が接続されており、循環ホース３７の他端は水受け槽２１の上部に設けた洗剤ケース３９に接続されている。そして、洗い動作やすすぎ動作時に、ポンプ３１が駆動して、水受け槽２１から循環ホース３７側へ送られた洗濯水は、洗剤ケース３９、水路ホース３８を介して水受け槽２１内へ循環される。排水時と循環時のポンプ３１動作については、図２以降で詳述する。
【００２７】
なお、ポンプ３１は、例えばインダクションモータで構成し、相を切り替えるなどによって正逆回転を可能としており、その回転方向により排水と循環を切り替える。
【００２８】
図２は、本発明の第１の実施の形態における洗濯機の、回転ランナー側から見たポンプの構造図を示すものである。
【００２９】
図２において、ポンプ３１は、略円筒状のポンプ室４１の内部に、軸部５２を中心に回転駆動する回転ランナー４２が配されている。ポンプ室４１の内部には、回転ランナー４２の外周側に、回転ランナー４２に向かって凹状となる円弧状の仕切板４３が形成されている。
【００３０】
そして、仕切板４３の略中央部近傍には、方向板４５を軸着する回転軸４４が設けられ、方向板４５は、回転軸４４を中心に、軸部５２と回転軸４４を結ぶ直線に対して略左右対称の所定の角度位置まで、回動自在になっている。
【００３１】
また、ポンプ室４１には、方向板４５の下流側に、軸部５２と回転軸４４を結ぶ直線に対して略対称位置に、ポンプ室４１と連通して、循環側出口４６と排水側出口４７が形成されており、前述のように、循環側出口４６には循環ホース３７が接続されており、排水側出口４７には排水ホース３５が接続されている。
【００３２】
また、回転ランナー４２は、排水時にはＣＷ方向（正回転方向）へ回転し、循環時にはＣＣＷ方向（逆回転方向）へ回転する。
【００３３】
以上のように構成された洗濯機について、以下、その動作、作用を説明する。
【００３４】
各行程において、水受け槽２１内の洗濯水を排水する排水動作時や、排水から脱水へ移行する排水及び脱水動作時には、回転ランナー４２は、ＣＷ方向（正回転方向）へ回転する。この時には、回転ランナー４２の回転による水流にて、方向板４５が右方向の所定の角度位置まで倒れるように押されるので、洗濯水は排水ホース３５が接続された排水側出口４７の方向へ排出され、排水ホース３５から機外排水ホース３６を介して、機外へ排水される。
【００３５】
また、洗いやすすぎ行程にて、水受け槽２１内の洗濯水を循環する循環動作時には、回転ランナー４２は、ＣＣＷ方向（逆回転方向）へ回転する。この時には、回転ランナー４２の回転による水流にて、方向板４５が左方向の所定の角度位置まで倒れるように押されるので、洗濯水は循環ホース３７が接続された循環側出口４６の方向へ排出され、循環ホース３７から洗剤ケース３９、水路ホース３８を介して、水受け槽２１内へ循環される。
【００３６】
以上のように、本実施の形態１においては、回転ランナーの外周側に、回転ランナーに向かって凹状に形成された円弧状の仕切板を形成するとともに、仕切板の略中央近傍に設けた回転軸に軸着された方向板を仕切板の外方に形成し、方向板は略左右対称の所定の角度まで回動自在にして、排水動作や排水及び脱水動作時には、ポンプを正転方向に駆動して、水受け槽内の水を排水側出口から吐出して機外へ排水し、循環動作時には、ポンプを逆転方向に駆動して、水受け槽内の水を循環側出口から吐出して再び水受け槽へ循環させる構成としたことにより、簡単な構成で、単一のポンプにて、ポンプの回転方向を切り替えることで、洗濯水の排水と循環を行なうことができる。
【００３７】
（実施の形態２）
図３は、本発明の第２の実施の形態における洗濯機の、回転ランナー側から見たポンプの構造図を示すものである。ポンプの構造以外については、実施の形態１と同一であり、説明を省略する。
【００３８】
図３において、ポンプ５０は、略円筒状のポンプ室５１の内部に、回転ランナー４２が配されている。ポンプ室５１の外方左右の略対称位置には、ポンプ室５１と連通して、円筒状壁部５３の接線方向に、循環側出口５６と排水側出口５７が形成されている。
【００３９】
そして、循環側出口５６には、ポンプ室５１からの流れを通し、ポンプ室５１へ向かう流れを止める循環側逆止弁４８が設けられ、循環ホース３７が接続されている。また、排水側出口５７には、ポンプ室５１からの流れを通し、ポンプ室５１へ向かう流れを止める排水側逆止弁４９が設けられ、排水ホース３５が接続されている。
【００４０】
以上のように構成された洗濯機について、以下、その動作、作用を説明する。
【００４１】
各行程において、水受け槽２１内の洗濯水を排水する排水動作時や、排水から脱水へ移
行する排水及び脱水動作時には、回転ランナー４２は、ＣＷ方向（正回転方向）へ回転し、洗い行程やすすぎ行程の循環動作時には、ＣＣＷ方向（逆回転方向）へ回転する。
【００４２】
排水動作や排水及び脱水動作時には、回転ランナー４２は、ＣＷ方向（正回転方向）へ回転するので、循環側出口５６側は、ポンプ室５１へ向かう流れとなって内部は負圧となり、循環側逆止弁４８は閉止する。そして、洗濯水は、排水側出口５７から排水ホース３５を通じて機外へと排水される。
【００４３】
また、洗いやすすぎ行程にて、水受け槽２１内の洗濯水を循環する循環動作時には、回転ランナー４２は、ＣＣＷ方向（逆回転方向）へ回転するので、排水側出口５７側は、ポンプ室５１へ向かう流れとなって内部は負圧となり、排水側逆止弁４９は閉止する。そして、洗濯水は循環側出口５６から循環ホース３７へ排出され、洗剤ケース３９、水路ホース３８を介して、水受け槽２１内へ循環される。
【００４４】
以上のように、本実施の形態２においては、ポンプの排水側出口に、ポンプ室からの流れを通し、ポンプ室へ向かう流れを止める排水側逆止弁を設け、循環側出口に、ポンプ室からの流れを通し、ポンプ室へ向かう流れを止める循環側逆止弁を設けた構成としたことにより、簡単な構成で、単一のポンプにて、ポンプの回転方向を切り替えることで、洗濯水の排水と循環を行なうことができる。
【産業上の利用可能性】
【００４５】
以上のように、本発明にかかるポンプを備えた洗濯機は、簡単な構成で、切替弁を設けずにひとつのポンプだけで、洗濯水の排水と循環を行なうことができるので、ポンプを有する他の洗濯機の用途に適用できる。
【符号の説明】
【００４６】
２１  水受け槽
２２  洗濯兼脱水槽
２５  駆動モータ
３１、５０  ポンプ
３４  制御手段
４１、５１  ポンプ室
４２  回転ランナー
４３  仕切板
４４  回転軸
４５  方向板
４６、５６  循環側出口
４７、５７  排水側出口
４８  循環側逆止弁
４９  排水側逆止弁
【図４】
2014054277.tif 000003
【図１】
2014054277.tif 000004
【図２】
2014054277.tif 000005
【図３】
2014054277.tif 000006